(57)【要約】    【課題】      ユーザーに面倒な作業を要求することなく、ユーザー毎に簡単かつ低コストで特定原稿画像を含む特定文書に対する画像形成処理などの利用機能を制限すること。    【解決手段】  コピー機能を含む複数の機能を搭載した複合機１００において、画像処理部１０９で入力された画像データ内の特定画像データを検出すると共に、検出エリア内に入ったユーザーが携帯したメモリカード１１６から当該ユーザーの認識情報をＲＦＩＤ制御部１１０で読み取り、メイン制御部１０５でこの読み取った認識情報に基づいて認証したユーザーについて予め設定した利用機能制限情報にしたがって当該認証ユーザーにおける特定画像データが検出された画像データに対する利用可能な機能を制限する。  【選択図】      図１
2006074490.tif 000002
【特許請求の範囲】
【請求項１】
入力された画像データ内の特定画像データを検出する検出手段と、検出エリア内に入ったユーザーが携帯したメモリカードに対して電磁波信号を送信しユーザーの認識情報を読み取る情報読取手段と、前記メモリカードから読み取った認識情報に基づいて認証したユーザーについて予め設定した利用機能制限情報が格納される記憶手段と、前記利用機能制限情報にしたがって当該認証ユーザーの前記特定画像データが検出された画像データに対する利用可能な機能を制限する制御手段と、を具備することを特徴とする制御処理装置。
【請求項２】
前記利用機能制限情報によって利用制限されている機能がユーザーによって選択された場合、前記制御手段は、前記利用機能制限情報にしたがって代替可能な利用機能を実施することを特徴とする請求項１記載の制御処理装置。
【請求項３】
前記制御手段は、前記代替可能な利用機能を実施する際、必要となる画像処理を行うことを特徴とする請求項２記載の制御処理装置。
【請求項４】
前記制御手段は、前記必要となる画像処理として画像データの特性を変換する画像変換処理を行うことを特徴とする請求項３記載の制御処理装置。
【請求項５】
前記利用機能制限情報によって利用制限されている機能がユーザーによって選択された場合、当該機能は利用制限されている旨のメッセージを出力することを特徴とする請求項１記載の制御処理装置。
【請求項６】
前記特定画像データが検出された画像データに対する利用機能を制限せずに実施した場合、前記制御手段は、当該実施に係る利用機能、画像データの種類及び認証ユーザーを前記記憶手段に記憶させることを特徴とする請求項１記載の制御処理装置。
【請求項７】
前記特定画像データは、特定形状あるいは特定文字の画像データであることを特徴とする請求項１記載の制御処理装置。
【請求項８】
前記特定画像データは、特定色の画像データであることを特徴とする請求項７記載の制御処理装置。
【請求項９】
前記特定画像データは、カラーデータを含む画像データであることを特徴とする請求項１記載の制御処理装置。
【請求項１０】
請求項１から請求項９のいずれかに記載の制御処理装置を備えたことを特徴とする画像形成装置。
【発明の詳細な説明】
【技術分野】
【０００１】
本発明は、機密文書などの特定文書に対する画像形成処理などの利用機能を制限する制御処理装置及びこれを備えた画像形成装置に関する。
【背景技術】
【０００２】
近年の画像形成装置（プリンタ、ＦＡＸ、複写機、複合機など）においては、画像形成装置の画質の向上及び搭載機能の多機能化（画像データの読取り、編集、印字、送信、ファイリングなど）に伴い、ユーザーに応じて機密文書やカラー文書などの特定原稿画像が含まれている特定文書に対する画像形成処理などの利用機能を制限するものが知られている。
【０００３】
具体例として、カラー複写機のスキャナ部で読み取った原稿画像データに特定原稿画像が含まれていると、当該原稿画像のプリンタ部での複写を禁止するカラー複写機が提案されている。複写が禁止状態となったカラー複写機の顧客から連絡をコントロールセンターが受け取ると、当該カラー複写機のパスワードを顧客に通知し、顧客がカラー複写機に当該パスワードを入力すると、カラー複写機は、禁止していた複写を解除して、当該原稿画像を複写する（例えば、特許文献１参照）。
【０００４】
また、ユーザーにＲＦＩＤ（Radio Frequency-Identification）カードを携帯させると共に機密文書にもＲＦＩＤシートを貼り付け、複写機にリーダ・ライタを設けて給紙台にセットされた文書のＲＦＩＤシートと、複写機の前にいるユーザーのＲＦＩＤカードとを読み取る複写機が提案されている。かかる複写機においては、ユーザーのＲＦＩＤカードから読み取った当該ユーザーのアクセス権が、給紙台上の文書のＲＦＩＤシートから読み取った当該文書の機密レベルより高い場合にのみ、複写機がその文書の複写を行えるように制御する（例えば、特許文献２参照）。
【特許文献１】特開２００３−５０５２５号公報（図１）
【特許文献２】特開２００１−１６０１１７号公報（図２）
【発明の開示】
【発明が解決しようとする課題】
【０００５】
しかし、かかる従来の技術では以下の問題が生じる。
【０００６】
即ち、読み取った原稿画像データに特定原稿画像が含まれていると認識するとプリンタ部での複写を禁止し、顧客からのパスワードの入力を待って当該原稿画像を複写する場合は、顧客はコントロールセンターに連絡し、さらにコントロールセンターから受け取ったパスワードを入力するという一連の面倒な作業を必要とする問題があった。
【０００７】
また、ユーザーのＲＦＩＤカードから読み取った当該ユーザーのアクセス権が、給紙台上の文書のＲＦＩＤから読み取った当該文書の機密レベルより高い場合にのみ、複写機がその文書の複写を行えるようにする場合は、特定文書にＲＦＩＤシートを貼り付けるという面倒な作業を必要とすると共にコストアップに繋がり、また特定文書の品位を低下させるといった問題があった。
【０００８】
本発明は、以上のような問題点に鑑みて為されたものであり、ユーザーに面倒な作業を要求することなく、ユーザー毎に簡単かつ低コストで特定原稿画像を含む特定文書に対する画像形成処理などの利用機能を制限することができる制御処理装置及びこれを備えた画像形成装置を提供することを目的とする。
【課題を解決するための手段】
【０００９】
本発明は、入力された画像データ内の特定画像データを検出すると共に、検出エリア内に入ったユーザーが携帯したメモリカードに対して電磁波信号を送信しユーザーの認識情報を読み取り、このメモリカードから読み取った認識情報に基づいて認証したユーザーについて予め設定した利用機能制限情報にしたがって当該認証ユーザーにおける特定画像データが検出された画像データに対する利用可能な機能を制限するようにしたものである。
【発明の効果】
【００１０】
本発明に係る複合機によれば、ユーザーに面倒な作業を要求することなく、ユーザー毎に簡単かつ低コストで特定原稿画像を含む特定文書に対する画像形成処理などの利用機能を制限することができる。
【発明を実施するための最良の形態】
【００１１】
本発明の第１の態様に係る制御処理装置は、入力された画像データ内の特定画像データを検出する検出手段と、検出エリア内に入ったユーザーが携帯したメモリカードに対して電磁波信号を送信しユーザーの認識情報を読み取る情報読取手段と、前記メモリカードから読み取った認識情報に基づいて認証したユーザーについて予め設定した利用機能制限情報が格納される記憶手段と、前記利用機能制限情報にしたがって当該認証ユーザーの前記特定画像データが検出された画像データに対する利用可能な機能を制限する制御手段と、を具備する構成を採る。
【００１２】
この構成によれば、メモリカードから読み取った認識情報に基づいて認証したユーザーについて、予め設定された利用機能制限情報にしたがって特定画像データが検出された画像データに対して利用可能な機能を制限する。これにより、本体装置に搭載した種々の機能についてユーザー毎に簡単に特定画像データが検出された画像データに対する利用機能制限を設定することができる。この結果、任意のユーザーにより本体装置における特定画像データが検出された画像データに対する種々の機能が無制限に利用される事態を回避することができる。
【００１３】
また、特定画像データは、入力された画像データから検出される。これにより、特定画像データを検出するために特別なＲＦＩＤなどのシールを必要とせず、通常の画像の一部から検出することができる。この結果、ユーザーに面倒な作業を要求することもなく、コストアップも防止できると共に、特定画像データを含む特定文書の品位が低下するのを防止することができる。
【００１４】
本発明の第２の態様は、第１の態様に係る制御処理装置において、前記利用機能制限情報によって利用制限されている機能がユーザーによって選択された場合、前記制御手段は、前記利用機能制限情報にしたがって代替可能な利用機能を実施する構成を採る。
【００１５】
この構成によれば、利用機能制限情報によって利用制限されている機能がユーザーによって選択された場合、利用機能制限情報にしたがって代替可能な利用機能が実施される。このため、単に利用機能を制限するだけでなく代替可能な利用機能を実施させることができる。この結果、任意のユーザーにより本体装置における特定画像データが検出された画像データに対する種々の機能が無制限に利用される事態を回避しつつ、ユーザーの利便性も維持することができる。
【００１６】
本発明の第３の態様は、第２の態様に係る制御処理装置において、前記制御手段は、前記代替可能な利用機能を実施する際、必要となる画像処理を行う構成を採る。
【００１７】
この構成によれば、代替可能な利用機能を実施する際、必要となる画像処理が行われるので、ユーザーに特別な処理を要求することなく代替可能な利用機能することができる。
【００１８】
本発明の第４の態様は、第３の態様に係る制御処理装置において、前記制御手段は、前記必要となる画像処理として画像データの特性を変換する画像変換処理を行う構成を採る。
【００１９】
この構成によれば、必要となる画像処理として画像データの特性を変換する画像変換処理が行われるので、画像形式の変換を必要とする代替可能な利用機能を実施することができる。例えば、特定画像データとしてカラーデータを含む画像データの複写が指示された場合において、カラーデータの複写が利用制限される一方、白黒データの複写が許容される場合にはカラーデータを白黒データに変換して複写を実施することが可能である。
【００２０】
本発明の第５の態様は、第１の態様に係る制御処理装置において、前記利用機能制限情報によって利用制限されている機能がユーザーによって選択された場合、当該機能は利用制限されている旨のメッセージを出力する構成を採る。
【００２１】
この構成によれば、特定画像データに対し利用制限されている機能がユーザーによって選択されると、当該機能は利用制限されている旨のメッセージが出力されるので、ユーザーに対して当該機能を利用できないことを容易に認識させることができ、次の処理を促すことができる。
【００２２】
本発明の第６の態様は、第１の態様に係る制御処理装置において、前記特定画像データが検出された画像データに対する利用機能を制限せずに実施した場合、前記制御手段は、当該実施に係る利用機能、画像データの種類及び認証ユーザーを前記記憶手段に記憶させる構成を採る。
【００２３】
この構成によれば、特定画像データが検出された画像データに対する利用機能を制限せずに実施した場合の利用機能や画像データの種類等が記憶されるので、当該記憶された情報の履歴を読み出すことにより、認証したユーザーと機密情報などの特定画像データとに対する利用機能状況を随時モニタリングすることができる。この結果、機密情報などの特定画像データに対するリスク管理をさらに徹底することができる。
【００２４】
本発明の第７の態様は、第１の態様に係る制御処理装置において、前記特定画像データは、特定形状あるいは特定文字の画像データである構成を採る。
【００２５】
この構成によれば、特定画像データは特定形状あるいは特定文字で構成されるので、特定画像データを含む特定文書であることがユーザーに容易かつ確実に認識され、また特定画像データの検出を簡単かつ確実に行うことができる。さらに、画像データ内に文字画像データとして付加されているので、特定文書の品位を低下させることはない。
【００２６】
本発明の第８の態様は、第７の態様に係る制御処理装置において、前記特定画像データは、特定色の画像データである構成を採る。
【００２７】
この構成によれば、特定画像データは特定色で構成されるので、特定画像データを含む特定文書であることをユーザーがより容易かつ確実に認識することができる。
【００２８】
本発明の第９の態様は、第１の態様に係る制御処理装置において、前記特定画像データは、カラーデータを含む画像データである構成を採る。
【００２９】
この構成によれば、特定画像データはカラーデータを含む画像データで構成されるので、特定画像データを含む特定文書であることがユーザーに容易かつ確実に認識され、また特定画像の検出を簡単かつ確実に行うことができる。
【００３０】
本発明の第１０の態様に係る画像形成装置は、第１から第９のいずれかの態様に係る制御処理装置を備えた構成を採る。
【００３１】
この構成によれば、画像形成装置において、第１から第９のいずれかの態様に係る制御処理装置の効果を得ることができる。
【００３２】
図１は、本実施の形態に係る制御処理装置を搭載する複合機１００の主要な構成を示すブロック図である。
【００３３】
同図に示すように、本実施の形態に係る複合機１００は、装置全体の制御を行うと共に入力された画像データの画像処理などを行う制御処理装置１０１、原稿台に載置された原稿の読取りを行う読取り装置１０２、読取り装置１０２で読み取った画像データやＰＳＴＮ又はＬＡＮ経由で受け取った画像データの印字を行う印字装置１０３及び本複合機１００へのユーザーからの操作入力を受け付けると共に現在のステータス等を表示するパネル装置１０４を備える。
【００３４】
制御処理装置１０１は、メイン制御部１０５、プログラムメモリ１０６、データメモリ１０７、読取り制御部１０８、画像処理部１０９及びＲＦＩＤ制御部１１０を備える。
【００３５】
メイン制御部１０５は、制御処理装置１０１の制御を行うと共に本複合機１００全体の制御を行う。各種の制御を行う際、メイン制御部１０５は、プログラムメモリ１０６に格納された制御プログラムを読み込んで実行する。制御プログラムの実行の際、データメモリ１０７を作業領域として用いる。読取り制御部１０８は、メイン制御部１０５の制御の下、読取り装置１０２の制御を行う。
【００３６】
画像処理部１０９は、読取り装置１０２のＣＣＤセンサ１１１から出力される画像データ内における特定画像データ（後述）の有無の判定やその特定画像データに応じた画像変換処理等を行う。画像処理部１０９により画像処理が行われた画像データは、印字装置１０３の印字制御部１１２に入力され、ＬＳＵ１１３を介して感光体ドラム１１４の表面上に顕像化される。
【００３７】
ＲＦＩＤ制御部１１０は、アンテナ１１５を備え、検出エリア内に入ったユーザーが携帯するメモリカード１１６内に記録されたユーザーの認識情報を読み取る。メモリカード１１６は、ＲＦＩＤチップ１１７を内蔵し、アンテナ１１８を介してＲＦＩＤ制御部１１０に対してカード内に登録されたデータ（以下、適宜「登録データ」という）を送信する。
【００３８】
パネル装置１０４は、メイン制御部１０５の制御の下、パネル装置全体の制御を行うパネル制御部１１９を備える。パネル制御部１１９は、操作キーや大型タッチパネルからの入力を受け付ける一方、タッチパネル等の表示パネルにおける表示を制御する。
【００３９】
また、複合機１００は、ＦＡＸ制御部１２０、ＬＡＮ制御部１２１及びファイル制御部１２２を備える。ＦＡＸ制御部１２０、ＬＡＮ制御部１２１及びファイル制御部１２２は、メイン制御部１０５の制御の下、以下の制御を行う。ＦＡＸ制御部１２０は、ＰＳＴＮを介してファクシミリデータの通信制御を行う。ＬＡＮ制御部１２１は、ＬＡＮ上に接続されたサーバーやパーソナルコンピュータ（以下、「ＰＣ」という）との通信制御を行う。ファイル制御部１２２は、ハードディスク（ＨＤ）等の記憶手段１２３へのファイルの登録、編集及び削除等の処理を行う。
【００４０】
図２は、本実施の形態に係る制御処理装置１０１が有する画像処理部１０９の構成を示すブロック図である。
【００４１】
同図に示す画像処理部１０９において、読み取り画像処理回路２０１は、読取り装置１０２から受信した画像データに対してシェーディング補正処理及びスキャナγ変換処理を行う。シェーディング補正処理においては、光量のばらつき補正及びＣＣＤセンサ１１１の特性のばらつき補正を行う。スキャナγ変換処理においては、印字装置１０３で扱い易いように読取り画像データを反射率データから濃度データにγ変換する。
【００４２】
特定画像検出回路２０２は、読み取り画像処理回路２０１から受け取った画像データ内の特定画像データを検出する。特定画像データとは、本複合機１００における各機能の利用の制限対象となる画像データをいう。例えば、機密文書を示す画像データやカラー画像データが特定画像データに該当する。前者は機密文書の自由な複写やファクシミリ送信等がもたらす不利益を回避するためであり、後者はカラー画像の自由な複写等に起因するコストアップを回避するために特定画像データとして設定される。
【００４３】
図２に示すように特定画像検出回路２０２には、特定画像データメモリ２０３及び画像メモリ２０４が接続される。特定画像データメモリ２０３には、予め特定画像データのサンプルデータが格納されている。一方、画像メモリ２０４には、読み取り画像処理回路２０１から受け取った画像データが格納される。特定画像検出回路２０２は、両者のメモリに格納された画像データのマッチング処理を行うことで、読み取り画像処理回路２０１から受け取った画像データ内の特定画像データを検出する。
【００４４】
ここで、特定画像データメモリ２０３に格納される特定画像データのサンプルデータについて説明する。図３は、特定画像データメモリ２０３に格納される特定画像データのサンプルデータの一例を示す図である。
【００４５】
同図においては、機密文書を示す画像データとしての特定画像データのサンプルデータを示している。図３（ａ）は、「秘密として扱うこと」を示す特定文字からなる特定画像データ（特定画像データＡ）を示している。また、図３（ｂ）は、「厳しく守らなければならない秘密として扱うこと」を示す特定文字からなる特定画像データ（特定画像データＢ）を示している。さらに、図３（ｃ）は、「複写を禁止する」の意味を示す特定形状からなる特定画像データを示している。
【００４６】
なお、特定画像データがカラー画像データの場合は、読取り装置１０２で読み取った画像データのＲＧＢ成分を分析し、その各色成分が予め定めておいた閾値以上であればカラー画像データ（特定画像データ）として認識するようにしている。
【００４７】
編集・変換等画像処理回路２０５は、特定画像検出回路２０２から受け取った画像データの編集や変換等の画像処理を行う。特に、編集・変換等画像処理回路２０５は、特定画像データが検出された画像データに対して指示された機能が制限された場合に、当該画像データに対し編集や変換等の画像処理を行う。画像処理を行う際、編集・変換等画像処理回路２０５は、その作業領域として画像メモリ２０６を利用する。なお、特定画像検出回路２０２から入力された画像データが、特定画像データが検出された画像データでない場合には、編集・変換等画像処理回路２０５は、画像処理を行うことなく当該画像データを印字画像処理回路２０７に出力する。
【００４８】
印字画像処理回路２０７は、編集・変換等画像処理回路２０５から受け取った画像データに対してハーフトーン変換処理、印字領域処理及びプリンタγ変換処理を行う。ハーフトーン変換処理においては、画像データに対して印字装置１０３の印字能力に応じた擬似階調変換処理を行う。印字領域処理においては、マージン処理における白色データの付加や、ブック処理におけるマスク処理などを行う。プリンタγ変換処理においては、印字装置１０３の印字特性に合わせて出力データをγ変換する。
【００４９】
図４は、本実施の形態に係る制御処理装置１０１が有するＲＦＩＤ制御部１１０及びＲＦＩＤ制御部１１０の検出対象となるメモリカード１１６の構成について示すブロック図である。
【００５０】
同図に示すように、ＲＦＩＤ制御部１１０は、制御回路４０１、変復調回路４０２及びアンテナ１１５を備えている。制御回路４０１は、メモリカード１１６に記憶された登録データ（認識情報）を読み書きするための制御を行う。変復調回路４０２は、制御回路４０１から指示されたメモリカード１１６との間で通信する信号の変復調を行う。変復調回路４０２で変調された信号は、アンテナ１１５を介してメモリカード１１６に送出される。一方、メモリカード１１６からアンテナ１１５を介して到来する信号が変復調回路４０２で復調された後、制御回路４０１に出力される。
【００５１】
一方、メモリカード１１６は、制御回路４０３、メモリ４０４、変復調回路４０５、コンデンサ４０６及びアンテナ１１８を備えている。制御回路４０３は、ＲＦＩＤ制御部１１０からのメモリカード１１６内の登録データに対する読み書き指示に応じた処理を行うための制御を行う。メモリ４０４は、登録データとして、本メモリカード１１６を携帯するユーザーの認識情報（ユーザーＩＤ）を記憶する。制御回路４０３は、ＲＦＩＤ制御部１１０からの指示に応じてメモリ４０４に記憶された認識情報の読み出し又は書き込みを行う。変復調回路４０５は、制御回路４０３から指示されたＲＦＩＤ制御部１１０との間で通信する信号の変復調を行う。変復調回路４０５で変調された信号は、アンテナ１１８を介してＲＦＩＤ制御部１１０に送出される。一方、ＲＦＩＤ制御部１１０からアンテナ１１８を介して到来する信号が変復調回路４０５で復調された後、制御回路４０３に出力される。コンデンサ４０６は、ＲＦＩＤ制御部１１０からアンテナ１１８を介して供給される電磁波エネルギーを電力として蓄える。
【００５２】
図５は、本実施の形態に係る複合機１００の機能ブロック図である。同図においては、ネットワークの一部も図示している。また、本実施の形態に係る複合機１００は、プリンタ機能、コピー機能、スキャナ機能、ＦＡＸ機能、電子メール機能及びファイリング機能を搭載しているが、同図においてはプリンタ機能、ＦＡＸ機能及びファイリング機能に関するブロックだけを示している。なお、図５においては、図１に示した構成と共通する構成について同一の符号を付している。
【００５３】
複合機１００は、ＬＡＮを経由して各種のサーバー５０１及びクライアントＰＣ５０２に接続可能である。サーバー５０１としては、個人情報テーブルを保持して個人認証及び個人情報の配信を行う個人情報用サーバー、メニューから選択したジョブをリモートプロシージャ方式で実行するＷＥＢサーバー等が含まれる。
【００５４】
複合機全体制御部５０３は、複合機１００の全体の制御を行う部分である。図１に示すメイン制御部１０５及び画像処理部１０９が実行する制御が複合機全体制御部５０３で行われる。印字制御部１１２は、クライアントＰＣ５０２等から与えられる印刷データを所定形式の画像データに変換する処理を実行する部分であり、特に画像形成ユニット（不図示）のヒーター部（定着装置）５０４にウォームアップ開始指示を与え、またカセット制御部５０５にカセット選択の指示を与える。カセット制御部５０５は、複数段装備したカセット（１）から（ｎ）の中から指示されたカセットを選択して画像形成ユニットへ給紙する。ＦＡＸ制御部１２０は、ＰＳＴＮに接続されファクシミリ通信のための手順を実行するモデムを有する。パネル制御部１１９は、大型タッチパネル５０６に操作画面等を表示させると共に、大型タッチパネル５０６のタッチ位置及び表示内容からユーザーの入力した操作内容を解釈する。
【００５５】
ＲＦＩＤ制御部１１０は、メモリカード１１６に対して電磁波信号にてデータを読み書きする機能を有する。ＲＦＩＤ制御部１１０からメモリカード１１６に対して磁界を印加した場合、その時の戻り磁界にはメモリカード１１６の記憶内容に応じた影響（情報）が含まれる。ＲＦＩＤ制御部１１０は、戻り磁界からメモリカード１１６の記憶内容を検出する。逆に、ＲＦＩＤ制御部１１０からメモリカード１１６に印加する電磁波信号でメモリカード１１６に電磁的な変化を及ぼすことで情報の書き込みを行う。ＲＦＩＤ制御部１１０は、半径１ｍ程度の検出エリア内にあるメモリカード１１６に対して、登録データの読み取り／カードへの書き込みを、電磁波信号を介して非接触で行う。
【００５６】
個人情報制御部５０７は、メモリカード１１６から読み込んだ登録データの書き込み先の管理を行う。また、個人情報制御部５０７は、ＲＦＩＤ制御部１１０に対してメモリカード１１６に書き込むデータを通知する部分である。ＬＡＮ制御部１２１は、ＬＡＮ上のサーバー５０１やクライアントＰＣ５０２との通信制御を行う。個人情報用サーバーＩ／Ｆ部５０８は、ＬＡＮ上のサーバー５０１のうち個人情報用サーバーとの通信するための処理を実行する。データメモリ１０７は、メモリカード１１６及び個人情報用サーバーから受信したデータを格納する記憶部として機能する。ジョブ制御部５０９は、コピー機能、プリンタ機能、ＦＡＸ機能、スキャナ機能、電子メール機能及びファイル機能といった各機能が提供する各ジョブを実行する際に該当する各部に指示を出す部分である。
【００５７】
音声制御部５１０は、音声ガイダンスのための音声データを保持している。音声制御部５１０は、パネル制御部１１９及びジョブ制御部５０９からユーザーのオペレーションに同期して音声ガイダンスの指示が与えられると、該当する音声データをスピーカー５１１へ出力する。音声ガイダンスは、大型タッチパネル５０６に表示される操作画面に対するオペレーションを補助するための音声であることが望ましいが、その他の内容であっても良い。パネル角度位置センサ５１２は、大型タッチパネル５０６の角度を検出し、パネル角度駆動モータ５１３は、パネル制御部１１９からの制御信号を受けて大型タッチパネル５０６の角度を調整する。なお、本実施の形態では大型タッチパネル５０６の角度を調整可能にしているが固定した構成であっても良い。
【００５８】
図６は、メモリカード１１６の登録情報を示す図である。
【００５９】
同図に示すように、メモリカード１１６には個人の認識情報としてユーザーＩＤだけを記憶している。メモリカード１１６の登録情報をユーザーＩＤに限定し、その他の個人情報を記憶しないことはセキュリティの面から好ましいが、その他の個人情報又はグループ情報を記憶するようにしても良い。
【００６０】
図７は、サーバー５０１としての個人情報用サーバーに登録している個人情報テーブルのデータ構造を示す図である。
【００６１】
個人情報用サーバーにおいては、登録ユーザー毎に個人情報テーブルが存在している。同図に示すように、個人情報テーブルは、個人の認識情報となるユーザーＩＤ、所属部門等の個人情報、本登録ユーザーによる利用が制限される機能情報（以下、「ファンクション制限情報」という）及び本登録ユーザーが利用した機能の履歴情報（以下、「利用機能履歴情報」という）を含む。なお、利用機能履歴情報については後述する。
【００６２】
図８は、個人情報テーブル内のファンクション制限情報の構成例を示す図である。
【００６３】
同図に示すように、ファンクション制限情報は、制限対象となる機能をリスト形式で列記した機能リストと、当該機能リストの各項目に対して制限の有無（利用の可否）を示す情報（以下、「利用可否情報」という）とを含んでいる。利用可否情報は、当該機能リストの各項目の処理対象となる画像データの種類に応じて分けられている。同図においては、処理対象となる画像データが、特定画像データを含まない通常の画像データ（図８に示す通常画像）、特定画像データとしてのカラー画像データを含む画像データ（図８に示すカラー画像）、図３（ａ）に示す特定画像データＡを含む画像データ（図８に示す画像Ａ）及び図３（ｂ）に示す特定画像データＢを含む画像データ（図８に示す画像Ｂ）の４つの画像データの種類に応じて分けられている。
【００６４】
より具体的には、ファンクション名とその機能から構成される機能リストの各項目に対応して、各機能の利用可否情報及び備考が登録されている。本実施の形態ではファンクション名に「コピー」、「ＦＡＸ」、「ｉｎｔｅｒｎｅｔＦＡＸ/Ｅ-Ｍａｉｌ」、「スキャナ」及び「ファイル」を登録している。
【００６５】
各ファンクション名に複数の機能が登録されている。例えば、ファンクション名「コピー」においては、その機能に「カラーコピー」、「モノクロコピー」や「両面コピー」などの機能が登録されている。これらの各機能のうち、処理対象となる画像データに対する利用を許容する機能にのみ、利用可否情報において許容を示す「○」が設定される。
【００６６】
例えば、同図においては、ファンクション名「コピー」の機能「カラーコピー」において、処理対象となる画像データが「カラー画像」である場合にはその利用を許容せず、「画像Ａ」及び「画像Ｂ」の場合にはその利用を許容する場合について示している。また、ファンクション名「ＦＡＸ」の機能「外線送信」においては、処理対象となる画像データが「通常画像」の場合にのみその利用を許容し、それ以外の画像データの場合にはその利用を許容しない場合について示している。さらに、ファンクション名「ファイル」の機能「モノクロファイル」においては、いかなる画像データであってもその利用を許容する場合について示している。
【００６７】
なお、ファンクション名「ＦＡＸ」の機能「送信枚数制限」やファンクション名「スキャナ」の機能「解像度限定」に示すように、利用可否に具体的な枚数（数値）が設定される場合もある。備考には、例えば、利用可否を判断する際の基準が登録されている。
【００６８】
次に、本実施の形態に係る複合機１００に対して利用者からオペレーションが指示された場合の動作について図９及び図１０を用いて説明する。
【００６９】
本複合機１００に対してオペレーションを指示するユーザーがメモリカード１１６を携帯して接近すると、ＲＦＩＤ制御部１１０によって検出される（Ｓ２００）。例えば、従業員（ユーザー）が首から下げる等して携帯した社員証ホルダーに、本人の認識情報（ユーザーＩＤ）を書き込んだメモリカード１１６を入れておく。メモリカード１１６を携帯したユーザーがＲＦＩＤ制御部１１０の検出エリア（ここでは１ｍ程度であるとする）に入った時点でメモリカード１１６内のユーザーＩＤがＲＦＩＤ制御部１１０にて読み取られる。
【００７０】
ＲＦＩＤ制御部１１０は、メモリカード１１６から読み取ったユーザーＩＤをデータメモリ１０７へ格納する（Ｓ２０１）。複合機全体制御部５０３は、データメモリ１０７へ格納したユーザーＩＤを読み出し、個人情報用サーバーＩ／Ｆ部５０８へ通知する（Ｓ２０２）。
【００７１】
後述するように、サーバー５０１としての個人情報用サーバーは、ユーザーＩＤを受け取ると当該ユーザーＩＤと一致するユーザーＩＤを登録しているユーザーの個人情報テーブルが登録されているか否かチェックして、登録有無情報を返信してくる。
【００７２】
個人情報用サーバーＩ／Ｆ部５０８は、この登録有無情報から個人情報用サーバーに当該ユーザーが登録されているか否か確認する（Ｓ２０３）。当該ユーザーの個人情報テーブルが登録されていなければ（Ｓ２０４の「ＮＯ」）、個人情報用サーバーＩ／Ｆ部５０８は、パネル制御部１１９に対して「未登録ユーザー検出通知」を出力する。パネル制御部１１９は「未登録ユーザー検出通知」を受け取ると大型タッチパネル５０６に機器使用不可である旨のメッセージを表示する（Ｓ２０５）。
【００７３】
一方、当該ユーザーの個人情報テーブルが登録されていた場合（Ｓ２０４の「ＹＥＳ」）、個人情報用サーバーＩ／Ｆ部５０８が個人情報用サーバーから検出ユーザーの個人情報テーブルデータを取り出し、データメモリ１０７へ格納する（Ｓ２０６）。
【００７４】
パネル制御部１１９は、データメモリ１０７へ格納した個人情報テーブルデータから検出ユーザーの名称を抽出し、大型タッチパネル５０６に機器使用可能である者として名称を表示する（Ｓ２０７）。例えば、個人情報テーブルの個人情報に登録されている名称が「松下太郎」であれば「松下太郎さんは認証されました」といった文字を表示する。
【００７５】
この検出ユーザーの名称と共に、メニュー画面が表示される。メニュー画面には、本複合機１００に対する指示を入力する各種ファンクションボタンが表示されている。このメニュー画面が大型タッチパネル５０６に表示された後、ユーザーがオペレーションを開始する（Ｓ２０８）。具体的には、ユーザーにより大型タッチパネル５０６からファンクションボタンを選択することで、カラーコピーやＦＡＸによる外線送信などのオペレーションを開始する。
【００７６】
オペレーションが開始されたならば、複合機全体制御部５０３は、読取り装置１０２により処理対象となる原稿画像の画像データを読み取る（Ｓ２０９）。そして、読み取った画像データにおける特定画像データの有無及びその特定画像データの種類を検出する（Ｓ２１０）。検出された特定画像データの有無及びその種類を示す情報は、ジョブ制御部５０９に通知される。
【００７７】
この情報を受け取ると、ジョブ制御部５０９は、データメモリ１０７へ格納した当該ユーザーの個人情報テーブルのファンクション制限情報を読み出す。そして、ファンクションボタンにより指示された機能のうち、読み取った画像データに対応する機能がファンクション制限情報に該当するか判断する（Ｓ２１１）。
【００７８】
ファンクション制限情報に該当しない場合には、ジョブ制御部５０９は、指示された機能が提供するジョブをスタートする（Ｓ２１２）。そして、当該ジョブが完了したならば（Ｓ２１３）、個人情報用サーバーＩ／Ｆ部５０８は、個人情報テーブル内の利用機能履歴情報に、利用機能履歴を記録する（Ｓ２１４）。そして、個人情報テーブルに利用機能履歴を記録した後、複合機全体制御部５０３は、処理を終了する。
【００７９】
図１１は、個人情報テーブル内の利用機能履歴情報の構成例を示す図である。図１１は、ユーザーＩＤ「０８２５ａｂＸ」が示すユーザーの利用機能履歴情報を示している。
【００８０】
同図に示すように、利用機能履歴情報は、日付、ユーザーＩＤ、画像データの種類及び利用機能を含んでいる。図１１においては、２００４年８月２５日に特定画像データＡを含む画像データについてカラーコピーした場合の利用機能履歴、並びに、２００４年８月２８日にカラー画像データを含む画像データについてカラースキャナで読み込みを行った場合の利用機能履歴が登録された場合について示している。
【００８１】
このように本実施の形態に係る複合機１００によれば、特定画像データが検出された画像データに対する利用機能を制限せずに実施した場合の利用機能や画像データの種類等が記憶される。このため、当該記憶された情報の履歴を読み出すことにより、認証したユーザーと機密情報などの特定画像データとに対する利用機能状況を随時モニタリングすることができる。この結果、機密情報などの特定画像データに対するリスク管理をさらに徹底することができる。
【００８２】
一方、Ｓ２１１の判断において、ファンクション制限情報に該当する場合には、複合機全体制御部５０３は、編集・変換等の画像処理により代替となる機能が利用可能であるか判断する（Ｓ２１５）。代替機能が利用可能である場合には、複合機全体制御部５０３は、当該画像データに画像処理を行う（Ｓ２１６）。画像処理を行った後、Ｓ２１２〜Ｓ２１４の処理を経て、複合機全体制御部５０３は、処理を終了する。
【００８３】
ここで、編集・変換等の画像処理により代替機能が利用可能となる場合について説明する。以下においては、あるユーザーからカラー画像データを含む画像データのカラーコピーが指示された例を用いて説明する。なお、当該ユーザーの個人情報テーブルには、ファンクション制限情報として図８に示すデータが登録されているものとする。
【００８４】
図８に示すように、当該ユーザーにおいてカラー画像データを含む画像データのカラーコピーは制限されている。このため、当該オペレーションが実行されることはない。しかし、同図に示すように、当該ユーザーにおいてカラー画像データを含む画像データのモノクロコピーは制限されていない。このような場合、複合機全体制御部５０３は、処理対象となっているカラー画像データをモノクロ画像データに変換した後、モノクロコピーを代替機能として実行する。複合機全体制御部５０３は、このような代替機能の利用の可否を判断し、可能な場合には代替機能を実行する。
【００８５】
このように本実施の形態に係る複合機１００によれば、ファンクション制限情報によって利用制限されている機能がユーザーによって選択された場合、ファンクション制限情報にしたがって代替可能な利用機能が実行される。このため、単に利用機能を制限するだけでなく代替可能な利用機能を実行させることができる。この結果、任意のユーザーにより本体装置における特定画像データが検出された画像データに対する種々の機能が無制限に利用される事態を回避しつつ、ユーザーの利便性も維持することができる。
【００８６】
特に、本実施の形態に係る複合機１００においては、代替可能な利用機能を実施する際、必要となる画像処理が行われるので、ユーザーに特別な処理を要求することなく代替可能な利用機能することができる。必要となる画像処理としては、例えば、画像データの特性を変換する画像変換処理が行われる。このため、画像形式の変換を必要とする代替可能な利用機能を実行することができる。
【００８７】
なお、本実施の形態に係る複合機１００においては、事前設定により任意の代替機能を実行することが可能である。上述のように、カラー画像データを含む画像データのカラーコピーが許容されない場合にモノクロ画像データを含む画像データのモノクロコピーを代替機能として実行する場合や、特定画像データＡを含む画像データのモノクロコピーが許容されない場合に特定画像データＡを含む画像データの所定箇所（例えば、機密情報としておきたい箇所）を削除した画像データのモノクロコピーを代替機能として実行することが可能である。前者の場合には、変換前のカラー画像データに応じてモノクロ画像データに階調を付与する等の画像処理を施すことも可能である。
【００８８】
一方、Ｓ２１５の処理において代替機能が利用可能でない場合には、ジョブ制御部５０９は、パネル制御部１１９及び音声制御部５１０に対して利用機能制限により使用することができない旨の「エラー通知」を出力する。パネル制御部１１９は、この「エラー通知」を受け取ると大型タッチパネル５０６に当該機能は利用制限されている旨のエラーメッセージを表示する。音声制御部５１０は、この「エラー通知」を受け取るとスピーカー５１１からエラー音を発する。このとき、ジョブ制御部５０９は、ユーザーから指示された機能を受け付けない（Ｓ２１７）。
【００８９】
このように本実施の形態の複合機１００においては、利用制限されている機能がユーザーによって選択されると、当該機能は利用制限されている旨のエラーメッセージが大型タッチパネル５０６上に表示されるので、ユーザーに対して当該機能を利用できないことを容易に認識させることができ、次の処理を促すことができる。
【００９０】
大型タッチパネル５０６に表示されたエラーメッセージには、確認ボタンが設けられている。確認ボタンは、エラーメッセージを取り消し、処理をＳ２０８まで戻す際に用いられる。エラーメッセージが表示されると、ユーザーは、この確認ボタンを押し、元のメニュー画面（Ｓ２０８）に戻る（Ｓ２１８）。そして、このような処理を繰り返し、ユーザーから指示されたジョブが完了するか（Ｓ２１３）、ユーザーがオペレーションを断念した場合、ジョブ制御部５０９は、処理を終了する。
【００９１】
図１２は、本実施の形態に係る複合機１００にＬＡＮを介して接続されるサーバー５０１の機能ブロック図である。同図に示すサーバー５０１は、装置全体の制御を行うＣＰＵ１２０１を備える。メモリ１２０２は、ＣＰＵ１２０１が読み込んで装置全体を制御する際に用いる制御プログラムを格納すると共に、ＣＰＵ１２０１のワークメモリとしての機能を有する。ハードディスク（ＨＤ）１２０３は、本実施の形態に係る複合機１００に対して配信する情報を記憶する。例えば、本サーバー５０１が個人情報用サーバーとして機能する場合には、上述の個人情報テーブルが登録ユーザー毎に記憶される。ＷＥＢサーバーとして機能する場合には、本複合機１００に対するメニューやそれに関連付けられたジョブ群が記憶される。ネットワークＩ／Ｆ部１２０４は、ＬＡＮとのインターフェース部分である。
【００９２】
上記構成を有するサーバー５０１が個人認証用サーバーとして機能する場合の動作について図１３を用いて説明する。図１３は、本実施の形態に係るサーバー５０１が個人認証用サーバーとして機能する場合の動作について説明するためのフロー図である。
【００９３】
個人認証用サーバーとしてのサーバー５０１は、待機状態において、本実施の形態の複合機１００からの各種情報の受信を監視している。具体的には、認識情報（ユーザーＩＤ）の受信（Ｓ１３０１）、テーブル情報の読出し要求の受信（Ｓ１３０２）及びその他の情報の受信（Ｓ１３０３）を監視している。
【００９４】
各種情報の受信を監視する中、Ｓ１３０１において認識情報を受信したならば、ＨＤ１２０３に記憶された個人情報テーブルから当該登録ユーザーのテーブル情報を検索する（Ｓ１３０４）。これにより、受信した認識情報が個人情報テーブルに登録されているか否かが判断される。そして、その検索結果、すなわち、認識情報の登録の有無をアクセスしてきた複合機１００に対して送信する（Ｓ１３０５）。
【００９５】
一方、Ｓ１３０２においてテーブル情報の読出し要求を受信したならば、ＨＤ１２０３に記憶された個人情報テーブルから当該登録ユーザーのテーブル情報を取り出す（Ｓ１３０６）。これにより、先に受信した認識情報に対応付けられた登録ユーザーのテーブル情報が取り出される。そして、そのテーブル情報をアクセスしてきた複合機１００に対して送信する（Ｓ１３０７）。
【００９６】
また、Ｓ１３０３においてその他の情報を受信したならば、当該情報に対応した該当処理を行う（Ｓ１３０８）。Ｓ１３０５、Ｓ１３０７及びＳ１３０８において各種処理を完了したならば、サーバー５０１は処理を終了する。このようにサーバー５０１は、本複合機１００から受信した各種情報に応じて処理を決定し、当該処理を実行する。
【００９７】
このように本実施の形態の複合機１００によれば、メモリカード１１６から読み取った個人の認識情報（ユーザーＩＤ）に基づいて認証したユーザーについて予め設定したファンクション制限情報をサーバー５０１から読み出してデータメモリ１０７に格納し、このファンクション制限情報にしたがって当該認証ユーザーが特定画像データが検出された画像データに対して利用可能な機能を制限する。これにより、これにより、本体装置に搭載した種々の機能についてユーザー毎に簡単に特定画像データが検出された画像データに対する利用機能制限を設定することができる。この結果、任意のユーザーにより本体装置における特定画像データが検出された画像データに対する種々の機能が無制限に利用される事態を回避することができる。
【００９８】
また、特定画像データは、入力された画像データから検出される。これにより、特定画像データを検出するために特別なＲＦＩＤシールなどを必要とせず、通常の画像の一部から検出することができる。この結果、ユーザーに面倒な作業を要求することもなく、コストアップも防止できると共に、特定画像データを含む文書の品位が低下するのを防止することができる。
【００９９】
さらに、本実施の形態に係る複合機１００においては、個人情報が登録された個人情報テーブルをサーバー５０１上に保持し、メモリカード１１６から読み取った個人の認識情報に対応したユーザーのファンクション制限情報をサーバー５０１から読み込む。これによれば、本複合機１００上に個人情報テーブルを登録しておく必要がないので、大容量のハードディスク装置等を用意することなく本複合機１００における機能利用制限を実現することができる。
【０１００】
特に、本実施の形態に係る複合機１００においては、特定画像データは特定形状あるいは特定文字で構成されるので、特定画像データを含む特定文書であることがユーザーに容易かつ確実に認識され、また特定画像データの検出を簡単かつ確実に行うことができる。また、画像データ内に文字画像データとして付加されているので、特定文書の品位を低下させることはない。さらに、特定画像データは赤色などの特定色で構成されるので、特定画像データを含む特定文書であることをユーザーがより容易かつ確実に認識することができる。
【０１０１】
また、本実施の形態に係る複合機１００においては、特定画像データはカラー画像データを含む画像データで構成されるので、特定文書であることがユーザーに容易かつ確実に認識され、また特定画像の検出を簡単かつ確実に行うことができる。
【０１０２】
なお、本実施の形態においては、個人情報用サーバーとして機能するサーバー５０１に個人情報やファンクション制限情報などを登録しておき、本複合機１００でこの個人情報等を読み出してデータメモリ１０７に格納する場合について説明している。しかし、これに限定されず、複合機１００に大容量のハードディスク装置等の記憶装置を設け、その記憶装置等に個人情報テーブルを登録し、読み出すようにしてもよい。このように変更した場合には、装置本体のみにより本複合機１００における機能利用制限を実現することができる。
【産業上の利用可能性】
【０１０３】
本発明に係る複合機によれば、ユーザーに面倒な作業を要求することなく、ユーザー毎に簡単かつ低コストで特定原稿画像を含む特定文書に対する画像形成処理などの利用機能を制限することができ、任意の利用者により複合機の種々の機能が無制限に利用される事態を回避することができる点で有用である。
【図面の簡単な説明】
【０１０４】
【図１】本実施の形態に係る制御処理装置を搭載する複合機の主要な構成を示すブロック図
【図２】上記実施の形態に係る制御処理装置が有する画像処理部の構成を示すブロック図
【図３】上記実施の形態に係る画像処理部の特定画像データメモリに格納される特定画像データのサンプルデータの一例を示す図
【図４】上記実施の形態に係る制御処理装置が有するＲＦＩＤ制御部及びＲＦＩＤ制御部の検出対象となるメモリカードの構成について示すブロック図
【図５】上記実施の形態に係る複合機の機能ブロック図
【図６】上記実施の形態に係る複合機により読み書きされるメモリカードの登録情報を示す図
【図７】上記実施の形態に係る複合機に接続されるサーバー（個人情報用サーバー）に登録している個人情報テーブルのデータ構造を示す図
【図８】上記実施の形態に係る複合機に接続された個人情報用サーバーが登録する個人情報テーブルに含まれるファンクション制限情報の一例を示す図
【図９】上記実施の形態に係る複合機に対して利用者からオペレーションが指示された場合の動作を説明するためのフロー図
【図１０】上記実施の形態に係る複合機に対して利用者からオペレーションが指示された場合の動作を説明するためのフロー図
【図１１】上記実施の形態に係る複合機に接続される個人情報用サーバーの個人情報テーブル上に設けられた利用機能履歴テーブルに登録された利用機能履歴の一例について示す図
【図１２】上記実施の形態に係る複合機に接続されるサーバーの機能ブロック図
【図１３】上記実施の形態に係る複合機に接続される個人認証用サーバーの動作を説明するためのフロー図
【符号の説明】
【０１０５】
１００  複合機
１０１  制御処理装置
１０２  読取り装置
１０３  印字装置
１０４  パネル装置
１０５  メイン制御部
１０７  データメモリ
１０９  画像処理部
１１０  ＲＦＩＤ制御部
１１６  メモリカード
２０２  特定画像検出回路
２０３  特定画像データメモリ
２０５  編集・変換等画像処理回路
５０１  サーバー
５０３  複合機全体制御部
５０７  個人情報制御部
５０８  個人情報用サーバーＩ／Ｆ部
５０９  ジョブ制御部
１２０１  ＣＰＵ
１２０２  メモリ
１２０３  ハードディスク（ＨＤ）
１２０４  ネットワークＩ／Ｆ部
【図１】
2006074490.tif 000003
【図２】
2006074490.tif 000004
【図３】
2006074490.tif 000005
【図４】
2006074490.tif 000006
【図５】
2006074490.tif 000007
【図６】
2006074490.tif 000008
【図７】
2006074490.tif 000009
【図８】
2006074490.tif 000010
【図９】
2006074490.tif 000011
【図１０】
2006074490.tif 000012
【図１１】
2006074490.tif 000013
【図１２】
2006074490.tif 000014
【図１３】
2006074490.tif 000015